(57)【特許請求の範囲】
【請求項１】
お湯を収容する貯水部を形成する内壁と、前記内壁を取り囲む外壁と、を有する浴槽と
前記内壁に設けられた第１排水口と、
前記内壁に設けられ、前記第１排水口よりも面積が大きい第２排水口と、
を備え、
前記第２排水口は、
前記内壁から前記貯水部と反対側に突出し、前記内壁に対して段差を形成する凹部と、
前記凹部を塞ぐ蓋と、
を備え、
前記段差を形成する前記凹部の側面には、複数の第１開口が形成され、
前記蓋が前記凹部の底部に向かって移動することで、前記貯水部から前記複数の第１開口を介して排水されることを特徴とする排水システム。
【請求項２】
前記浴槽の前記外壁のうち、洗い場に面した部分には第２開口が設けられ、
前記第２排水口からの排水は、前記第２開口を介して前記洗い場に流れることを特徴とする請求項１に記載の排水システム。
【請求項３】
前記第２開口は、前記外壁のうち前記洗い場に面した部分の下端に形成されることを特徴とする請求項２に記載の排水システム。
【請求項４】
前記第２開口はスリットであることを特徴とする請求項２または３に記載の排水システム。
【請求項５】
前記第２開口を塞ぐ外壁蓋を備え、
前記蓋には、前記外壁蓋に向かって突出した凸部が設けられ、
前記蓋が前記凹部の底部に向かって移動することで、前記外壁蓋は前記凸部に押されて開き、前記第２開口が開放されることを特徴とする請求項２から４の何れか１項に記載の排水システム。
【請求項６】
前記凹部の幅は、前記内壁から離れるほど広がることを特徴とする請求項１から５の何れか１項に記載の排水システム。
【請求項７】
前記凹部は、前記蓋の厚さよりも深いことを特徴とする請求項１から６の何れか１項に記載の排水システム。
【請求項８】
前記凹部は帯状であることを特徴とする請求項１から７の何れか１項に記載の排水システム。
【請求項９】
帯状の前記凹部は、円、楕円または多角形を形成するように設けられることを特徴とする請求項８に記載の排水システム。
【請求項１０】
前記凹部は、円形、楕円形または多角形であることを特徴とする請求項１から７の何れか１項に記載の排水システム。
【請求項１１】
前記凹部の側面はパンチングメタルから形成されることを特徴とする請求項１から１０の何れか１項に記載の排水システム。
【請求項１２】
前記複数の第１開口の各々はスリットであることを特徴とする請求項１から１０の何れか１項に記載の排水システム。
【請求項１３】
前記凹部の側面はメッシュ状であることを特徴とする請求項１から１０の何れか１項に記載の排水システム。
【請求項１４】
入浴者の動き、体調または前記浴槽の水位を検出するセンサと、
前記センサが検出する情報に応じて、前記蓋を前記凹部の底部に向かって移動させる制御部と、
を備えることを特徴とする請求項１から１３の何れか１項に記載の排水システム。
【請求項１５】
前記制御部は、前記浴槽の清掃時に、前記蓋を前記凹部の底部に向かって移動させることを特徴とする請求項１４に記載の排水システム。
【請求項１６】
前記制御部は、特定の使用者に対して、他の使用者よりも前記センサの感度を高めることを特徴とする請求項１４または１５に記載の排水システム。
【請求項１７】
前記制御部は、前記第２排水口からの排水を開始した後、使用者に対して今後の対応のアドバイスを行うことを特徴とする請求項１４から１６の何れか１項に記載の排水システム。
【発明の詳細な説明】
【技術分野】
【０００１】
この発明は、排水システムに関する。
【背景技術】
【０００２】
特許文献１には、入浴中の異常検出装置が開示されている。この装置は、浴槽内における入浴者の異状を判定する異状判定手段と、異状判定手段の判定結果に基づいて浴槽内の湯水を強制的に排水する強制排水手段を備えている。強制排水手段は、モータポンプを作動させて、浴槽内の湯水を汲み上げて排水する。
【先行技術文献】
【特許文献】
【０００３】
【特許文献１】日本特開２０００−０９９８５５号公報
【発明の概要】
【発明が解決しようとする課題】
【０００４】
特許文献１の異常検出装置では、排水に長時間を要するおそれがある。【０００５】
本発明は上述の問題を解決するためになされたものであり、その目的は、短時間で排水できる排水システムを得ることである。
【課題を解決するための手段】
【０００６】
本願の発明に係る排水システムは、お湯を収容する貯水部を形成する内壁と、該内壁を取り囲む外壁と、を有する浴槽と、該内壁に設けられた第１排水口と、該内壁に設けられ、該第１排水口よりも面積が大きい第２排水口と、を備え、該第２排水口は、該内壁から該貯水部と反対側に突出し、該内壁に対して段差を形成する凹部と、該凹部を塞ぐ蓋と、を備え、該段差を形成する該凹部の側面には、複数の第１開口が形成され、該蓋が該凹部の底部に向かって移動することで、該貯水部から該複数の第１開口を介して排水される。
【発明の効果】
【０００７】
本願の第１の発明に係る排水システムでは、第１排水口よりも面積が大きい第２排水口から排水できる。従って、短時間で排水できる。
【図面の簡単な説明】
【０００８】
【図１】実施の形態１に係る排水システムの構成を説明する図である。
【図２】実施の形態１に係る浴槽の構造を説明する図である。
【図３】実施の形態１に係る浴槽の断面図である。
【図４】実施の形態１に係る浴槽の構造を説明する斜視図である。
【図５】実施の形態１に係る凹部の側面の構造を説明する図である。
【図６】実施の形態１の第１の変形例に係る凹部の側面の構造を説明する図である。
【図７】実施の形態１の第２の変形例に係る凹部の側面の構造を説明する図である。
【図８】実施の形態１の第３の変形例に係る凹部の側面の構造を説明する図である。
【図９】実施の形態１の第４の変形例に係る凹部の側面の構造を説明する図である。
【図１０】実施の形態１の第５の変形例に係る凹部の側面の構造を説明する図である。
【図１１】実施の形態１の第６の変形例に係る凹部の側面の構造を説明する図である。
【図１２】実施の形態１の第７の変形例に係る凹部の側面の構造を説明する図である。
【図１３】排水方法を説明する断面図である。
【図１４】排水方法を説明する斜視図である。
【図１５】洗い場への排水方法を説明する図である。
【図１６】第２開口の構造を説明する斜視図である。
【図１７】ステップ１を説明する図である。
【図１８】ステップ２を説明する図である。
【図１９】ステップ３を説明する図である。
【図２０】比較例に係る排水システムの構成を説明する図である。
【図２１】比較例に係る排水方法を説明する断面図である。
【図２２】実施の形態１の第８の変形例に係る第２排水口の構造を説明する図である。
【図２３】実施の形態１の第９の変形例に係る第２排水口を説明する図である。
【図２４】実施の形態１の第１０の変形例に係る第２排水口を説明する図である。
【図２５】実施の形態１の第１１の変形例に係る第２排水口を説明する図である。
【図２６】実施の形態１の第１２の変形例に係る第２排水口を説明する図である。
【図２７】実施の形態１の第１３の変形例に係る第２排水口を説明する図である。
【図２８】実施の形態１の第１４の変形例に係る第２排水口を説明する図である。
【図２９】実施の形態１の第１５の変形例に係る浴槽の断面図である。
【図３０】実施の形態１の第１５の変形例に係る排水方法を説明する断面図である。
【図３１】実施の形態１の第１５の変形例に係る外壁蓋の構造を説明する斜視図である。
【図３２】実施の形態１の第１５の変形例に係る洗い場への排水方法を説明する図である。
【図３３】実施の形態１の第１６の変形例に係る第２開口の構造を説明する斜視図である。
【図３４】実施の形態１の第１６の変形例に係る第２開口の構造を説明する断面図である。
【発明を実施するための形態】
【０００９】
本発明の実施の形態に係る排水システムについて図面を参照して説明する。同じ又は対応する構成要素には同じ符号を付し、説明の繰り返しを省略する場合がある。
【００１０】
実施の形態１．
図１は、実施の形態１に係る排水システム１００の構成を説明する図である。排水システム１００は、制御部１０を備える。制御部１０は、給湯機１２を制御し、浴槽への湯張りを行う。制御部１０は、建物に設けられた家電製品、各種センサ等を連携させて制御するものであっても良い。制御部１０は、ＰＣまたはＨＥＭＳ（Ｈｏｍｅ  Ｅｎｅｒｇｙ  Ｍａｎａｇｅｍｅｎｔ  Ｓｙｓｔｅｍ）における管理装置であっても良い。また、制御部１０は、ＩｏＴ（Ｉｎｔｅｒｎｅｔ  ｏｆ  Ｔｈｉｎｇｓ）アダプタが制御するＡｌ（Ａｒｔｉｆｉｃｉａｌ  Ｉｎｔｅｌｌｉｇｅｎｃｅ）スピーカであっても良い。また、制御部１０は給湯機１２に含まれていても良い。
【００１１】
センサ１４は、入浴者の動き、体調または浴槽の水位を検出して、入浴者が溺れていることを検出する。センサ１４は、例えばドップラーセンサである。また、制御部１０は、入浴者が溺れていることをセンサ１４が検出すると、後述する第２排水口４０により浴槽から緊急排水を行う。また、制御部１０は、第１排水口３０から通常の排水を行う。第１排水口３０が自動排水栓の場合、第１排水口３０は制御部１０から制御される。第１排水口３０は手動の排水栓であっても良い。この場合、第１排水口３０は制御部１０から制御されなくても良い。
【００１２】
図２は、実施の形態１に係る浴槽２０の構造を説明する図である。図３は、実施の形態１に係る浴槽２０の断面図である。図４は、実施の形態１に係る浴槽２０の構造を説明する斜視図である。浴槽２０は、お湯を収容する貯水部２３を形成する内壁２１と、内壁２１を取り囲む外壁２２とを有する。内壁２１と外壁２２との間は、中空状態であり、空気層が設けられている。
【００１３】
内壁２１の底部２１ａには、第１排水口３０が設けられる。第１排水口３０は、入浴後または清掃後等に実施される通常の排水時に用いられる。第１排水口３０からの排水は、図３に示される浴槽２０の下面に設けられた下部排水口２４を通って下水に流される。第１排水口３０と下部排水口２４は後述する排水管３２で繋がっていても良い。また、第１排水口３０からの排水は、内壁２１と外壁２２との間の空間を通って下部排水口２４に流れても良い。
【００１４】
内壁２１の底部２１ａには、第２排水口４０が設けられる。第２排水口４０は、第１排水口３０よりも面積が大きい。本実施の形態では、第２排水口４０は内壁２１の底部２１ａの端部に設けられる。これに限らず、第２排水口４０は、底部２１ａの中央部または内壁２１の側面に設けられても良い。
【００１５】
図３に示されるように、第２排水口４０は凹部４１と蓋４２とを有する。凹部４１は、内壁２１から貯水部２３と反対側に突出する。凹部４１は、内壁２１に対して段差を形成する。蓋４２は凹部４１を塞ぐ。
【００１６】
凹部４１は、側面４１ａと底部４１ｂとを有する。底部４１ｂは、内壁２１に形成された開口と対向する。側面４１ａは、内壁２１に形成された開口から、貯水部２３と反対側に延びる。側面４１ａは、内壁２１に形成された開口と底部４１ｂとの間を繋ぐ。
【００１７】
図２、４に示されるように、凹部４１は帯状である。また、蓋４２は凹部４１に対応した形状を有し、帯状である。凹部４１は、浴槽２０の長手方向に沿って延びる。また、凹部４１は、内壁２１の底部２１ａのうち長手方向の端部において、平面視で内側に向かって湾曲する。このような形状により、第２排水口４０の面積を大きく確保できる。従って、迅速な排水が可能になる。また、第２排水口４０の幅を狭くすることで、人または物が吸い込まれることを防止できる。
【００１８】
図５は、実施の形態１に係る凹部４１の側面４１ａの構造を説明する図である。凹部４１の側面４１ａは、内壁２１に対して段差を形成する。側面４１ａには、複数の第１開口４１ｃが形成される。第１開口４１ｃは円形である。第１開口４１ｃの構造はこれに限らず、楕円形であっても良い。凹部４１の側面４１ａは、例えばパンチングメタルから形成される。第１開口４１ｃはパンチング穴である。
【００１９】
図６は、実施の形態１の第１の変形例に係る凹部４１の側面３４１ａの構造を説明する図である。側面３４１ａには、複数の第１開口３４１ｃが形成される。第１開口３４１ｃは正方形である。第１開口３４１ｃの構造はこれに限らず、長方形または四角形であっても良い。
【００２０】
図７は、実施の形態１の第２の変形例に係る凹部４１の側面４４１ａの構造を説明する図である。側面４４１ａには、複数の第１開口４４１ｃが形成される。第１開口４４１ｃは三角形である。第１開口４４１ｃの構造はこれに限らず、多角形であっても良い。第１開口４４１ｃとして、パンチング穴として成り立てば、あらゆる形状を採用できる。
【００２１】
図８は、実施の形態１の第３の変形例に係る凹部４１の側面２４１ａの構造を説明する図である。側面２４１ａには、複数の第１開口２４１ｃが形成される。複数の第１開口２４１ｃの各々はスリットである。第１開口２４１ｃは、側面２４１ａの短手方向に延びる長方形である。
【００２２】
図９は、実施の形態１の第４の変形例に係る凹部４１の側面５４１ａの構造を説明する図である。側面５４１ａには、複数の第１開口５４１ｃが形成される。複数の第１開口５４１ｃの各々は、側面５４１ａの長手方向に延びる長方形のスリットである。第１開口５４１ｃは、例えば側面５４１ａの一端から他端まで連続して形成される。
【００２３】
図１０は、実施の形態１の第５の変形例に係る凹部４１の側面６４１ａの構造を説明する図である。側面６４１ａには、複数の第１開口５４１ｃが形成される。複数の第１開口６４１ｃの各々は、側面６４１ａの長手方向に延びる長方形のスリットである。複数の第１開口６４１ｃは、側面６４１ａの長手方向に並ぶ。
【００２４】
図１１は、実施の形態１の第６の変形例に係る凹部４１の側面７４１ａの構造を説明する図である。側面７４１ａには、複数の第１開口７４１ｃが形成される。複数の第１開口７４１ｃの各々は、側面７４１ａの短手方向に対して傾いた方向に延びるスリットである。これに限らず、第１開口７４１ｃとして、水を排出できるスリットであれば、あらゆる形状を採用できる。
【００２５】
図１２は、実施の形態１の第７の変形例に係る凹部４１の側面８４１ａの構造を説明する図である。側面８４１ａはメッシュ状であっても良い。側面８４１ａは例えばワイヤーメッシュから形成される。メッシュの粗さまたは構造は、排水が可能であり、人の手足が吸い込まれなければ、どのようなものでも構わない。
【００２６】
複数の第１開口４１ｃの各々は、例えば人または人の手足が吸い込まれない大きさである。このように第２排水口４０を形成することで、大型の第２排水口４０に人が吸い込まれることを防止できる。
【００２７】
図１３は、排水方法を説明する断面図である。図１４は、排水方法を説明する斜視図である。制御部１０は、センサ１４が検出する情報に応じて、凹部４１の底部４１ｂに向かって蓋４２を移動させる。制御部１０は、図１３、１４の矢印に示される方向に蓋４２を移動させる。蓋４２が底部４１ｂに向かって移動すると、複数の第１開口４１ｃが貯水部２３に露出する。従って、貯水部２３から複数の第１開口４１ｃを介して排水される。
【００２８】
本実施の形態では、内壁２１に形成された開口に沿って設けられた側面４１ａから排水が行われる。このため、第２排水口４０の幅が狭くても、第２排水口４０の外周を長くすることで、排水量を確保できる。
【００２９】
ここで、凹部４１は、蓋４２の厚さよりも深いことが好ましい。これにより、複数の第１開口４１ｃからの排水が蓋４２に妨げられることを抑制できる。また、凹部４１は、蓋４２を収納できる広さを有する。
【００３０】
また、凹部４１の幅は、内壁２１から離れるほど広がる。つまり、側面４１ａのうち互いに対向する部分の間隔は、深い位置ほど広い。これにより、側面４１ａの面積を大きく確保でき、迅速な排水が可能になる。また、凹部４１の底部４１ｂにも、複数の第１開口４１ｃが形成されていても良い。
【００３１】
図１５は、洗い場５０への排水方法を説明する図である。第２排水口４０の第１開口４１ｃは、内壁２１と外壁２２との間の空間に通じている。第２排水口４０からの排水は、内壁２１と外壁２２との間の空間を通り、下部排水口２４に流れる。また、浴槽２０の外壁２２のうち、洗い場５０に面した部分には複数の第２開口２５が設けられる。第２排水口４０からの排水は、内壁２１と外壁２２との間の空間を通り、複数の第２開口２５を介して洗い場５０に流れる。
【００３２】
また、図１５に示されるように、複数の第２開口２５は、下部排水口２４よりも高い位置に設けられても良い。このとき、下部排水口２４からの排水が間に合わず、内壁２１と外壁２２との間の空間の水位が、第２開口２５が設けられた高さを超えた場合にのみ、複数の第２開口２５から洗い場５０に排水を行うことができる。これにより、時間当たりの排水量が少ない通常時は、下部排水口２４から排水し、緊急時のみ洗い場５０に排水できる。
【００３３】
図１６は、第２開口２５の構造を説明する斜視図である。複数の第２開口２５は、外壁２２のうち洗い場５０に面した部分の下端に形成される。複数の第２開口２５の各々はスリットである。第２開口２５の形状は、これに限らず、円形、楕円形、多角形等でも良い。また、外壁２２のうち洗い場５０に面した部分の下端をメッシュ状にすることで、複数の第２開口２５を形成しても良い。また、第２開口２５は１つ以上設けられれば良い。
【００３４】
第２開口２５により、第１排水口３０が髪の毛等により詰まっている場合でも、洗い場５０側に水を流すことができる。従って、迅速な緊急排水を確実に実施できる。
【００３５】
また、制御部１０は、センサ１４が検出する情報に応じて、第２開口２５を開放しても良い。この場合、通常時において第２開口２５は閉まっている。
【００３６】
次に、ステップ１〜３により排水システム１００の動作を説明する。図１７は、ステップ１を説明する図である。図１８は、ステップ２を説明する図である。図１９は、ステップ３を説明する図である。センサ１４は、例えば浴室６０の天井に設けられる。また、浴室６０の壁には、給湯機１２が設けられる。また、浴室６０外には、給湯機１２の操作器１６が設けられる。
【００３７】
ここでは、入浴者８０がヒートショック症状等により浴槽２０内で意識を失ったものとする。センサ１４はドップラーセンサであり、物体の動きを検出する。センサ１４は、例えば入浴者８０が予め定められた時間動かない場合、異常状態を検出する。センサ１４は人感センサまたはバイタルセンサであっても良い。センサ１４がバイタルセンサの場合、センサ１４は脈拍レベル、呼吸レベル、体動等を検出し、これらの値が予め定められた範囲外の場合に、異常状態を検出する。
【００３８】
センサ１４は、人が溺れていること、意識を失っていること、転倒したことまたは体調が悪いことを、異常状態として検出できれば良い。また、複数のセンサ１４または複数の種類のセンサ１４により異常状態を検出しても良い。
【００３９】
ステップ１において、センサ１４が異常状態を検出すると、制御部１０は即座に緊急対応モードを発動させる。制御部１０は、浴槽２０内の給湯を停止する。この際、制御部１０は、給湯機１２から緊急事態を知らせる警報または至急浴槽２０の水を抜くべきことを知らせる警報を行っても良い。また、警報は操作器１６から浴室６０の外部に対して行われても良い。
【００４０】
ステップ２において、制御部１０は、お湯を通常より早く排出できる大容量の第２排水口４０を強制開放する。つまり、制御部１０は蓋４２を底部４１ｂに向かって移動させ、お湯の緊急排出をスタートさせる。これにより、制御部１０は入浴者８０が溺れることを防止し、入浴者８０の生命を優先して保護する。
【００４１】
この際、制御部１０は、給湯機１２から浴槽２０の水を抜いていることを報知しても良い。また、制御部１０は給湯機１２から警告音を発しても良い。また、報知および警告音は操作器１６から発せられても良い。
【００４２】
ステップ３において、制御部１０は、緊急連絡先に連絡を行う。緊急連絡先への連絡は、例えば救急車の呼び出しまたは家族への連絡を含む。また、制御部１０は、第２排水口４０からの排水を開始した後、給湯機１２から家族等の使用者８１に対して今後の対応のアドバイスを行う。
【００４３】
アドバイスには、例えば救急車を呼んだこと、救急車が来るまでの時間が含まれる。また、アドバイスには、救急車が来るまでの救急対応またはヒートショック症状を沈静化させるための救急対応が含まれても良い。また、アドバイスには、入浴者８０を安静にすることまたは入浴者８０の体温を維持すること等が含まれても良い。これにより、介護者が慌てて誤った対処を行うことを防止できる。
【００４４】
アドバイスは、家族または介護者のスマホから行われても良い。この場合、病院に搬送するまでの救急対応がアプリ等で提示されても良い。また、適切な処置が促進されるように、救急車での搬送先に入浴者８０の体調データ及び分析結果を緊急速報として連絡しても良い。以上から、迅速かつ的確な対処が可能になる。
【００４５】
次に、本実施の形態の効果について説明する。図２０は、比較例に係る排水システムの構成を説明する図である。図２１は、比較例に係る排水方法を説明する断面図である。比較例に係る排水システムにおいて、浴槽１２０には、第１排水口３０のみが設けられている。第１排水口３０は通常時は栓３１で閉じられている。栓３１が取り外されることで、第１排水口３０からの排水は、排水管３２を通って下部排水口２４に流れる。
【００４６】
ここで、入浴者８０が大人であり、顔が高い位置に維持されている場合、浴槽２０の水位が半分になれば溺れることを防止できる可能性が高い。しかし、例えば入浴者８０が小柄な高齢者または子どもである場合、入浴者８０が浴槽２０に仰向けに倒れた場合または顔を浴槽２０の底に向けてうつ伏せた場合等では、さらに水位を低下させないと鼻または口が離水しないおそれがある。このような場合に、入浴者８０が溺れることを防止するには、短時間で大量の排水が必要である。従って、通常の第１排水口３０を使用した排水では排水スピードが不足するおそれがある。また、第１排水口３０、排水管３２または下部排水口２４が詰まっていると、排水ができないおそれがある。同様に、ポンプ等によりお湯をくみ上げて排水する場合にも、排水スピードが不足するおそれがある。
【００４７】
これに対し、本実施の形態では、大容量の第２排水口４０からスピーディに排水できる。従って、入浴者８０が溺れることを防止でき、入浴者８０の生命を優先して保護できる。
【００４８】
また、浴槽のヘリにポンプが設置されると、入浴時および清掃時にポンプが邪魔になるおそれがある。また、ポンプ自体が汚れ易いことが考えられ、清掃に手間がかかる可能性がある。これに対し本実施の形態は、内壁２１の底部２１ａに第２排水口４０が設けられる。このため、浴室６０が狭くなることを防止できる。また、掃除に手間がかかることを抑制できる。
【００４９】
図２２は、実施の形態１の第８の変形例に係る第２排水口２４０の構造を説明する図である。第２排水口２４０において、帯状の凹部４１は直線状に設けられる。第２排水口２４０は、浴槽２０の底部２１ａのうち長手方向の一端から他端まで延びる。これにより、第２排水口２４０の面積を大きく確保できる。また、凹部４１に人または物が吸い込まれることを防止できる。
【００５０】
図２３は、実施の形態１の第９の変形例に係る第２排水口３４０を説明する図である。第２排水口３４０において、帯状の凹部４１は円を形成するように設けられる。このとき、凹部４１の側面４１ａは２重円を描く。このため、側面４１ａの面積を大きく確保でき、時間当たりの排水量を大きくできる。
【００５１】
図２４は、実施の形態１の第１０の変形例に係る第２排水口４４０を説明する図である。第２排水口４４０において、帯状の凹部４１は楕円を形成するように設けられる。凹部４１は、浴槽２０の長手方向に沿って縦長である。このため、側面４１ａの面積をさらに大きく確保でき、時間当たりの排水量を大きくできる。
【００５２】
図２５は、実施の形態１の第１１の変形例に係る第２排水口５４０を説明する図である。第２排水口５４０において、帯状の凹部４１は長方形を形成するように設けられる。第２排水口５４０は、浴槽２０の底部２１ａのうち長手方向の端部に設けられる。この場合も、凹部４１の側面４１ａが二重の四角を描くことで、側面４１ａの面積を大きく確保できる。
【００５３】
図２６は、実施の形態１の第１２の変形例に係る第２排水口６４０を説明する図である。第２排水口６４０において、帯状の凹部４１は長方形を形成するように設けられる。第２排水口６４０は、浴槽２０の長手方向に沿って縦長である。このため、側面４１ａの面積をさらに大きく確保でき、時間当たりの排水量を大きくできる。
【００５４】
図２７は、実施の形態１の第１３の変形例に係る第２排水口７４０を説明する図である。第２排水口７４０において、帯状の凹部４１は角が丸まった長方形を形成しても良い。角が丸まった長方形は、角丸四角形とも呼ばれる。上述の例に限らず、帯状の凹部４１は、多角形を形成するように設けられても良い。また、帯状の凹部４１はＩ字形、Ｕ字形、Ｌ字形、Ｃ字形であっても良い。また、内壁２１には帯状の凹部４１が複数設けられても良い。
【００５５】
また、凹部４１は帯状ではなくても良い。図２８は、実施の形態１の第１４の変形例に係る第２排水口８４０を説明する図である。第２排水口８４０において、凹部４１は円形である。このように、凹部４１の幅が広く設けられた場合にも、側面４１ａに設けられた小さい第１開口４１ｃから水が流れることで、凹部４１の外側に人が吸い込まれることを防止できる。
【００５６】
また、凹部４１は、円形に限らず、楕円形または多角形であっても良い。凹部４１は、高速で排水できればどのような形状でも構わない。凹部４１の長手方向の長さは、内壁２１の底部２１ａの短手方向の長さの１／２よりも大きいものとしても良い。
【００５７】
図２９は、実施の形態１の第１５の変形例に係る浴槽２０の断面図である。浴槽２０には、第２開口９２５と、第２開口９２５を塞ぐ外壁蓋９２５ａが設けられる。外壁蓋９２５ａはパネル部とも呼ばれる。また、第２排水口９４０の蓋４２には、外壁蓋９２５ａに向かって突出した凸部９４２ａが設けられる。凸部９４２ａは蓋４２の貯水部２３と反対側の面に設けられる。凸部９４２ａは例えば棒状である。
【００５８】
図３０は、実施の形態１の第１５の変形例に係る排水方法を説明する断面図である。蓋４２が凹部４１の底部４１ｂに向かって移動することで、外壁蓋９２５ａは凸部９４２ａに押されて開く。このように、本変形例では蓋４２と外壁蓋９２５ａとが連動する。外壁蓋９２５ａは、下端を支点として浴槽２０の外側に向かって開く。外壁蓋９２５ａは凸部９４２ａに押されて開けば、別の構造でも良い。凸部９４２ａは、外壁蓋９２５ａが開いた状態において、第２開口９２５から外側に突出する。
【００５９】
図３１は、実施の形態１の第１５の変形例に係る外壁蓋９２５ａの構造を説明する斜視図である。浴槽２０に外壁蓋９２５ａは１つ設けられる。これに限らず、外壁蓋９２５ａは複数の扉から構成されても良い。
【００６０】
図３２は、実施の形態１の第１５の変形例に係る洗い場５０への排水方法を説明する図である。外壁蓋９２５ａが開き、第２開口９２５が開放されることで、洗い場５０に向かって排水が行われる。
【００６１】
凸部９４２ａは、例えば底部４１ｂを貫通して、外壁蓋９２５ａに向かって延びる。これに限らず、凸部９４２ａは、外壁蓋９２５ａを開くことができれば別の構造でも良い。凸部９４２ａは蓋４２に１つのみ設けられても良いし、複数設けられても良い。また、凸部９４２ａは、外壁蓋９２５ａに沿って延びる板状であっても良い。
【００６２】
図３３は、実施の形態１の第１６の変形例に係る第２開口１０２５の構造を説明する斜視図である。図３４は、実施の形態１の第１６の変形例に係る第２開口１０２５の構造を説明する断面図である。第２開口１０２５は１つのみ設けられても良い。
【００６３】
また、外壁２２のうち洗い場５０に面した部分の下端には、浴槽２０の内側に向かって凹んだ段差構造が設けられる。外壁２２の凹んだ部分には、第２開口１０２５が設けられる。これにより、第２開口１０２５が目立つことを防止でき、第２開口１０２５を設けることによる違和感を抑制できる。
【００６４】
一般に、高齢者はヒートショック症状を起こし易い。また、認知症の高齢者または幼児は、誤って浴槽２０内に落ちて溺れる可能性が高いことが考えられる。制御部１０は、溺れる可能性が高い特定の使用者に対して、他の使用者よりもセンサ１４の感度を高めても良い。
【００６５】
制御部１０は、例えば複数の使用者を予め記憶している。また、排水システム１００は浴室６０に設置されたカメラ内蔵センサを有する。制御部１０は、カメラ内蔵センサが検出した入浴者８０についての情報と、予め記憶している複数の使用者の情報を参照して、入浴者８０を特定する。制御部１０は、入浴者８０が例えばヒートショック症状を起こし易い使用者、体調が悪い使用者、高齢者、幼児または乳児であった場合に、センサ１４の感度を高める。
【００６６】
制御部１０は、これらの特定の使用者に対して、他の使用者よりも異常状態を判定する条件を緩和しても良い。また、入浴者８０の状態を検出する頻度を高めても良い。また、バイタル計測を実施する項目を増やしても良い。また、排水システム１００が複数のセンサ１４を有する場合、使用するセンサ１４を増やしても良い。
【００６７】
特定の使用者のみに対してセンサ１４の感度を高めることで、異常検出の精度を向上しつつ、電力消費を抑制できる。
【００６８】
また、制御部１０は、浴室６０外に設けられたセンサの情報に基づき、入浴者８０の体調チェックを行っても良い。浴室６０外に設けられたセンサは、例えば、脱衣室、トイレ、クローゼット、入浴前後の移動スペース等に設けられる。これにより、制御部１０は、入浴前後で入浴者８０の体調チェックを行う。また、制御部１０は、センサ１４および浴室６０外に設けられたセンサを用いて、入浴者８０の体調を長期間にわたりセンシングし、最近の体調の傾向を把握しても良い。制御部１０は、入浴者８０の体調を通年でセンシングしても良い。これにより、制御部１０は正確に入浴者８０の最近の体調を把握できる。
【００６９】
制御部１０は、上記のようなセンシング結果に基づき、他の使用者よりもセンサ１４の感度を高める使用者を選択しても良い。また、制御部１０は、入浴前に、入浴者８０の体調が悪いと判断した場合は、入浴しないことを入浴者８０に勧めても良い。これにより、制御部１０による精度の高い見守りが可能となる。また、制御部１０は、センシング結果に基づき、浴槽２０のお湯の温度を他の使用者の入浴時よりも低く、または高く設定しても良い。
【００７０】
また、制御部１０は、浴槽２０の清掃時に、第２排水口４０から排水を行っても良い。浴槽２０は内部に浴槽洗浄装置を備える。制御部１０は浴槽洗浄装置を制御し、浴槽２０内に泡を発生させる。これにより、浴槽２０の清掃が実施される。また、制御部１０は、排水システム１００と浴槽洗浄装置とを連動させる。制御部１０は浴槽洗浄装置から泡を発生させた後、蓋４２を凹部４１の底部４１ｂに向かって移動させ、第２排水口４０から排水を行う。これにより、泡および浴槽２０内の汚れを急速排出できる。
【００７１】
一般に、浴槽２０を泡等で清掃した後、排水すると、泡または汚れによる喫水線が付く場合がある。これに対し、本実施の形態では、第２排水口４０から急速排水することで、喫水線の付着を抑制できる。従って、お掃除機能がついた浴槽２０での清掃を短時間で実施できる。
【００７２】
また、通常時においても第２排水口４０から排水を行っても良い。特に、老人ホーム等で浴槽２０のお湯の入れ替えを頻繁に行う必要がある場合、第２排水口４０を用いた高速の排水が有効である。
【００７３】
なお、本実施の形態で説明した技術的特徴は適宜に組み合わせて用いても良い。
【符号の説明】
【００７４】
１０  制御部、１２  給湯機、１４  センサ、１６  操作器、２０  浴槽、２１  内壁、２１ａ  底部、２２  外壁、２３  貯水部、２４  下部排水口、２５  第２開口、３０  第１排水口、３１  栓、３２  排水管、４０  第２排水口、４１  凹部、４１ａ  側面、４１ｂ  底部、４１ｃ  第１開口、４２  蓋、５０  洗い場、６０  浴室、８０  入浴者、８１  使用者、１００  排水システム、１２０  浴槽、２４０  第２排水口、２４１ａ  側面、２４１ｃ  第１開口、３４０  第２排水口、３４１ａ  側面、３４１ｃ  第１開口、４４０  第２排水口、４４１ａ  側面、４４１ｃ  第１開口、５４０  第２排水口、５４１ａ  側面、５４１ｃ  第１開口、６４０  第２排水口、６４１ａ  側面、６４１ｃ  第１開口、７４０  第２排水口、７４１ａ  側面、７４１ｃ  第１開口、８４０  第２排水口、８４１ａ  側面、９２５  第２開口、９２５ａ  外壁蓋、９４０  第２排水口、９４２ａ  凸部、１０２５  第２開口
【図１】
0006969706.tif 000002
【図２】
0006969706.tif 000003
【図３】
0006969706.tif 000004
【図４】
0006969706.tif 000005
【図５】
0006969706.tif 000006
【図６】
0006969706.tif 000007
【図７】
0006969706.tif 000008
【図８】
0006969706.tif 000009
【図９】
0006969706.tif 000010
【図１０】
0006969706.tif 000011
【図１１】
0006969706.tif 000012
【図１２】
0006969706.tif 000013
【図１３】
0006969706.tif 000014
【図１４】
0006969706.tif 000015
【図１５】
0006969706.tif 000016
【図１６】
0006969706.tif 000017
【図１７】
0006969706.tif 000018
【図１８】
0006969706.tif 000019
【図１９】
0006969706.tif 000020
【図２０】
0006969706.tif 000021
【図２１】
0006969706.tif 000022
【図２２】
0006969706.tif 000023
【図２３】
0006969706.tif 000024
【図２４】
0006969706.tif 000025
【図２５】
0006969706.tif 000026
【図２６】
0006969706.tif 000027
【図２７】
0006969706.tif 000028
【図２８】
0006969706.tif 000029
【図２９】
0006969706.tif 000030
【図３０】
0006969706.tif 000031
【図３１】
0006969706.tif 000032
【図３２】
0006969706.tif 000033
【図３３】
0006969706.tif 000034
【図３４】
0006969706.tif 000035